(57)【要約】【課題】電池を使用しない無線式ナースコールシステムでは、電源容量の関係上発信部にＡＣＫ等を受信するための受信部を備えることができず、ペアリングに失敗した後に失報が発生する可能性が高くなっていた。【解決手段】ペアリングに失敗した際にも前回ペアリングに成功した情報を記憶部から読み出して再設定することから、無線子機が無線受信部を有していない場合においても、無線子機からの呼出操作が失報することを防ぐことができる。【選択図】図１
2014165712.tif 000002
【特許請求の範囲】
【請求項１】
病室のそれぞれのベッドの近傍に設置されたナースコール子機（３、３、・・・）からの呼出信号をナースステーションに設置されたナースコール親機（１）に報知あるいは表示させるナースコールシステムであって、
ベッドに入院している患者が前記ナースコール親機を呼び出すためにベッド上などの患者に近い位置に設置されるナースコール用無線押しボタン（２）と、前記ナースコール用無線押しボタンからの呼出信号を受信するために前記ナースコール子機に接続される無線受信機（４、４、・・・）を備え、
前記ナースコール子機には、患者が前記ナースコール親機の近傍にいる看護師を呼び出すための呼出握りボタン（３１）と、前記呼出握りボタンあるいは前記ナースコール用無線押しボタンの操作により呼び出された看護師が前記ナースコール親機で応答した際に当該看護師と通話を行なうための通話部（３２）とを有し、
前記無線受信機には、前記ナースコール用無線押しボタンとのペアリングを行なうペアリング開始ボタン（４１）と、前記ペアリング開始ボタン操作後の一定時間内に前記ナースコール用無線押しボタンのＩＤ等の固有符号を受信することにより前記固有符号を記憶する記憶部（４２）と、前記無線受信機の動作を制御する受信機制御部（４３）とを有し、
前記ナースコール用無線押しボタンは電源部を有しないものであり、電源部に代えて、押しボタンを押下すると押下による運動エネルギーを電気エネルギーに変換して前記固有符号を含む無線信号を送信するとともに無線信号の送信後は再び押下による電気エネルギーを得るまで動作を停止する無線送信部を有し、さらに押下による運動エネルギーを少量とするために無線受信部を有しないものであり、
前記受信機制御部は、前記ペアリング開始ボタン操作後の一定時間内に固有符号を受信できなかった場合には前記記憶部から前回のペアリングによる固有符号を読出してペアリングを完了するとともに、ペアリングを行っていない時に前記記憶部に記憶された前記固有符号と同一の固有符号の呼出を受信した際には前記ナースコール親機に呼出信号を送信し、さらにペアリングを行っていない時に前記記憶部に記憶された前記固有符号と異なる固有符号の呼出を受信した際には前記ナースコール親機への呼出信号の送信を抑止することを特徴とするナースコールシステム。
【発明の詳細な説明】
【技術分野】
【０００１】
本発明は、病院等の医療施設に設置されるナースコールシステムに係り、特に、患者の呼出握りボタンを無線化したナースコールシステムに関する。
【背景技術】
【０００２】
従来から、この種のナースコールとして、呼出ボタンの電源として電池を使用した無線式のナースコールシステムが知られている。例えば、特許文献１のナースコール装置では、使用者が無線子機を操作して家族の人を呼び出すことができる。
【先行技術文献】
【特許文献】
【０００３】
【特許文献１】特開平７−２４９９９９号公報
【発明の概要】
【発明が解決しようとする課題】
【０００４】
しかしながら、従来のナースコール装置では、特許文献１の段落［００１２］に記載されているように、電池切れの検出等の信頼性を確保するために定期的に通信を行なわなければならないため、病院等、患者が常時ナースコールを使用するような場所では電池消耗が早すぎて使用することができなかった。
この改善策として、電池を使用せず、呼出操作による運動エネルギーにより発電して呼出信号を送信する無線子機が望まれていたが、この形態では無線子機において呼出確認信号を受信することができないため、無線受信機との通信の信頼性を確保することができなかった。
【０００５】
本発明は、上述の難点を解消するためになされたもので、発電により呼出信号を送信する無線子機において、使用開始時にペアリング動作により無線受信機との接続を確立すると、再度ペアリングを行なった際にペアリングを失敗したとしても失敗前のペアリング状態を維持することにより、無線子機からの失報を防ぐことができる。
【課題を解決するための手段】
【０００６】
この目的を達成するため、本発明によるナースコールシステムは、病室のベッド上などの患者に近い位置に設置されるナースコール用無線押しボタンと、ナースコール用無線押しボタンからの呼出信号を受信するためにナースコール子機に接続される無線受信機を備え、ナースコール子機には、ナースコール用無線押しボタンの操作により呼び出された看護師がナースステーションに設置されたナースコール親機で応答した際に当該看護師と通話を行なうための通話部とを有し、無線受信機には、ナースコール用無線押しボタンとのペアリングを行なうペアリング開始ボタンと、ペアリング開始ボタン操作後の一定時間内にナースコール用無線押しボタンのＩＤ等の固有符号を受信することにより固有符号を記憶する記憶部と、無線受信機全体の動作を制御する受信機制御部とを有し、ナースコール用無線押しボタンは電源部を有しないものであり、電源部に代えて、押しボタンを押下すると押下による運動エネルギーを電気エネルギーに変換して固有符号を含む無線信号を送信するとともに無線信号の送信後は再び押下による電気エネルギーを得るまで動作を停止する無線送信部を有し、さらに押下による運動エネルギーを少量とするために無線受信部を有しないものであり、受信機制御部は、ペアリング開始ボタン操作後の一定時間内に固有符号を受信できなかった場合には記憶部から前回のペアリング情報による固有符号を読出してペアリングを完了するとともに、ペアリングを行っていない時に記憶部に記憶された固有符号と同一の固有符号の呼出を受信した際にはナースコール親機に呼出信号を送信し、さらにペアリングを行っていない時に記憶部に記憶された固有符号と異なる固有符号の呼出を受信した際にはナースコール親機への呼出信号送信を抑止するものである。
【発明の効果】
【０００７】
請求項１のナースコールシステムによれば、ペアリングに失敗した際にも前回ペアリングに成功した情報を記憶部から読み出して再設定することから、無線子機が無線受信部を有していない場合においても、ペアリングの信頼度を向上させて無線子機からの呼出操作が失報することを防ぐことができる。
【図面の簡単な説明】
【０００８】
【図１】図１は、本発明の実施例によるナースコールシステムの全体（外観）構成を示す構成図である。
【図２】図２は、本発明の実施例によるナースコールシステムにおいて、ナースコール子機、無線受信機の具体的な構成を示すブロック図である。
【図３】図３は、本発明の実施例によるナースコールシステムにおける動作を示すフローチャートであり、（ａ）はペアリング時の動作、（ｂ）はペアリング完了後の動作である。
【発明を実施するための形態】
【０００９】
以下、本発明のナースコールシステムを適用した最良の実施の形態例について、図面を参照して説明する。図１は、本発明の一実施例によるナースコールシステムの全体構成を示す構成図であり、看護師を呼び出すために病室内の病床にそれぞれ設置される複数のナースコール子機３、３、・・・と、ナースステーション内に設置され病室からの呼出信号を受信して呼出報知を行なうナースコール親機１と、病室出入口の廊下に設置されてナースコール子機の信号をナースコール親機に伝送するとともにナースコール子機の呼出信号を報知する廊下灯５、５、・・・と、病室のベッドに入院している患者が前記ナースコール親機を呼び出すためにベッド上などの患者に近い位置に設置されるナースコール用無線押しボタン２と、ナースコール用無線押しボタン２からの呼出信号を受信するためにナースコール子機３、３、・・・に接続される無線受信機４、４、・・・と、ナースコールシステム全体の通信及び動作を制御する制御装置６とで構成されている。
【００１０】
ナースコール親機１には、制御装置６、廊下灯５を介してナースコール子機３、３、・・・が接続されている。
ナースコール子機３には患者が看護師を呼び出す呼出握りボタン３１が接続されているとともに、看護師がベッドまで来て対応を完了した旨をナースコール親機に通知するための復旧ボタン３３と、呼出握りボタン３１の操作により呼び出された看護師がナースコール親機１で応答した際に当該看護師と通話を行なうための通話部３２とを有している。なお、通話部３２は、図１のようにナースコール子機３と一体のもの及びナースコール子機３と別体のものがそれぞれ存在するが、外観の違いのみで動作は同様である。
また、ナースコール子機３には、呼出握りボタン３１あるいは無線受信機４の少なくとも１つが接続されていれば呼出を行なうことができ、さらには呼出握りボタン３１及び無線受信機４の双方を１つのナースコール子機３に接続することも好適である。
無線受信機４にはペアリング時に操作することによって無線受信機４をペアリングモードに遷移させるペアリング開始ボタン４１と、呼出信号受信やペアリング完了を通知する表示灯４５とを有している。
【００１１】
図２はナースコール用無線押しボタン２、ナースコール子機３、無線受信機４の具体的な構成を示すブロック図である。ナースコール用無線押しボタン２には、患者が看護師を呼び出すために表面に露出する可動ボタン２１と、可動ボタン２１の動作による運動エネルギーを用いて発電を行なう発電部２２と、発電部２２の電力によって予めナースコール用無線押しボタン２内に記憶されている固有符号とともに呼出信号を送信する無線送信部２３とを備えている。ナースコール子機３には、前述した通話部３２と、復旧ボタン３３のほか、ナースコール子機３の各部を制御するとともに、廊下灯５、無線受信機４と通信を行なう子機ＣＰＵ３５を備えている。無線受信機４は、前述したペアリング開始ボタン４１、表示灯４５のほか、ナースコール用無線押しボタン２からの呼出信号を固有符号とともに受信する受信アンテナ４４と、ペアリング相手のナースコール用無線押しボタンの固有符号を１台分記憶する記憶部４２と、無線受信機４の各部を制御する受信機ＣＰＵ４３とを備えている。
【００１２】
このように構成された本発明の一実施例によるナースコールシステムにおいて、以下、その動作について説明する。なお、ナースコール子機３の呼出握りボタン３１を操作して看護師を呼び出して通話する動作については、従来のナースコールと同様であるため説明を省略する。
【実施例１】
【００１３】
まず、ナースコール用無線押しボタン２の呼出信号の送信方法について説明する。図１の構成図及び図２のブロック図において、ナースコール用無線押しボタン２の可動ボタン２１を押下すると、可動ボタン２１の動作により発生した運動エネルギーによって発電部２２が発電を行なって電気エネルギーに変換し、無線送信部２３に電源が供給される。なお、可動部の運動エネルギーによって発電を行なう技術そのものについては既存技術であるため説明を省略する。
無線送信部２３は動作電源の供給を受けると、予めナースコール用無線押しボタン２の内部に記憶されている固有符号を読出し、呼出信号とともに無線送信を行なう。なお、この無線信号は微弱なものであり、到達距離は概ね１ｍから３ｍほどである。また、発電部２２の発電量は微弱であるため、１回の可動ボタン２１の操作による無線送信部２３の動作可能時間は１秒乃至５秒程度であり、発電部２２からの電力供給が停止すると、無線送信部２３の動作も停止する。
【００１４】
次に、ナースコール用無線押しボタン２の使用開始時における無線受信機４とのペアリング動作について図３（ａ）を用いて説明する。ペアリング動作とは、無線受信機４がどのナースコール用無線押しボタン２の呼出信号を受信するかを予め登録し、異なったナースコール子機に呼出が誤発生してしまうことを防止するための登録操作である。
【００１５】
ペアリング開始時には、無線受信機４のペアリング開始ボタン４１を操作すると、ペアリング開始ボタン４１の操作を検出した受信機ＣＰＵ４３は、表示灯４５を点滅させてペアリングモードに移行したことを視覚的に通知する。無線受信機４がペアリング動作中にナースコール用無線押しボタン２の可動ボタン２１を押下すると、前述の通り無線送信部２３は固有符号を付加した呼出信号を無線送信する。無線受信機４の受信機ＣＰＵ４３は、受信アンテナ４４を介して呼出信号を受信すると、受信した呼出信号から固有符号を取出し、記憶部４２に上書きして記憶するとともに、ペアリング完了通知を当該固有符号とともにナースコール子機３、廊下灯５を介して制御装置６に送信するとともに、表示灯４５を一定時間点灯させてペアリングが完了したことを通知する。制御装置６では、ペアリング完了通知を受信すると、ペアリング完了通知内の固有符号が他の無線受信機４で登録されていないことを確認し、制御装置６内の図示しない記憶部に記憶する。なお、固有符号が他の無線受信機４で登録されている場合には、制御装置６から登録異常信号としてナースコール親機１、廊下灯５あるいはナースコール子機３に警報音や警報表示を行なうことにより、１つのナースコール用無線押しボタン２が複数の無線受信機４によってペアリングされることを防ぐことができる。
【００１６】
次に、ペアリングに失敗してタイムアウトとなった場合について説明する。無線受信機４のペアリング開始ボタン４１を操作すると、受信機ＣＰＵ４３がペアリングモードに移行する点は前述の動作と同一であるが、その後、３０秒間呼出信号を受信できなかった場合には、表示灯４５を消灯し、ペアリングモードを終了するとともに、記憶部４２から、前回のペアリングにおいて登録された固有符号を読出し、当該固有符号を有するナースコール用無線押しボタン２からの呼出信号を受信したものとしてペアリング完了通知を制御装置６に送信する。
【００１７】
なお、現場での初回のペアリング失敗を避けるため、無線受信機４とナースコール用無線押しボタン２はペアで出荷され、工場出荷段階においてペアリングが完了しており、記憶部４２には当該ナースコール用無線押しボタン２の固有符号が予め記憶されていることにより、ペアリング失敗時には必ず前回のペアリングにおいて登録された固有符号を読出すことができる。
【００１８】
次に、呼出動作について図３（ｂ）を用いて説明する。待受状態（つまり、ペアリングモードでない状態）にある無線受信機４がナースコール用無線押しボタン２からの呼出信号を受信すると、受信機ＣＰＵ４３は受信した呼出信号から固有符号を取出し、記憶部４２に記憶された固有符号と比較する。双方の固有符号が異なっている場合には何も動作せずに待受状態を維持するとともに、双方の固有符号が同一である場合には呼出信号を当該固有符号とともにナースコール子機３、廊下灯５を介して制御装置６に送信するとともに、表示灯４５を点灯させて呼出操作が受け付けられたことを視覚的に通知する。呼出信号を受信した制御装置６は、呼出信号をナースコール親機１に送信し、呼出音を鳴動させるとともに、ナースコール子機３からの呼出を通知する。
ナースコール親機１による呼出通知を認識した看護師は、ナースコール親機１の図示しない通話部でナースコール子機３の通話部３２との通話路を確立して通話を行なうとともに、通話終了後に病室の患者のもとへ駆けつけ、ナースコール子機３の復旧ボタン３３を操作して呼出動作を終了する。
【産業上の利用可能性】
【００１９】
なお、本実施例では１台の無線受信機には１台のナースコール用無線押しボタンが設置されているものとして説明しているが、複数台のナースコール用無線押しボタンを設置することもできる。この場合には記憶部には複数の固有符号を記憶するとともに、ペアリング成功時には新たな固有符号を記憶部に追加するとともに、ペアリング失敗時には記憶部に記憶してある全ての固有符号に対してペアリング完了通知を制御装置に送信する。
また、本実施例では制御装置や廊下灯が備えられているが、これらは存在せず、例えば制御装置で行なっていた固有符号の記憶動作や重複確認はナースコール親機など他の機器で行なうことも好適である。
【００２０】
さらに、通話部はナースコール子機に備えられていたが、無線受信機に備えることも好適である。
【符号の説明】
【００２１】
１              ナースコール親機
２              ナースコール用無線押しボタン
３              ナースコール子機
３１            呼出握りボタン
３２            通話部
４              無線受信機
４１            ペアリング開始ボタン
４２            記憶部
４３            受信機制御部
【図１】
2014165712.tif 000003
【図２】
2014165712.tif 000004
【図３】
2014165712.tif 000005